(57)【要約】  ＰＣＳ２００は、複数の分散電源からの出力電力あるいは複数の分散電源への供給電力を変換する。ＰＣＳ２００には、出力電力あるいは供給電力を変換する変換器が複数設けられている。第１状態においては、複数の変換器のそれぞれは、複数の分散電源の出力を個別に変換し、第２状態においては、複数の変換器は、少なくとも一の分散電源との間の出力あるいは入力に対して変換器を複数用いて変換を行う。
2015005254.tif 000002
【特許請求の範囲】
【請求項１】
複数の分散電源からの出力電力あるいは前記複数の分散電源への供給電力を変換する電力変換装置であって、
前記出力電力あるいは前記供給電力を変換する変換器が複数設けられており、
第１状態において、前記複数の変換器のそれぞれは、前記複数の分散電源からの出力電力あるいは前記複数の分散電源への供給電力を個別に変換し、
第２状態において、前記複数の変換器は、少なくとも一の分散電源との間の出力あるいは入力に対して変換器を複数用いて変換を行う
ことを特徴とする電力変換装置。
【請求項２】
前記複数の変換器は、それぞれが複数の分散電源の各々と電力線を介して接続されており、
各電力線間を接続する接続線を備え、
前記電力線及び前記接続線には、前記第１状態及び前記第２状態において経路を変更する切り替え手段が設けられている
ことを特徴とする請求項１に記載の電力変換装置。
【請求項３】
前記第１状態と前記第２状態との切り替えを行う際に前記切り替え手段の切り替えを指示する制御部をさらに有する
ことを特徴とする請求項２に記載の電力変換装置。
【請求項４】
前記切り替え手段は複数のスイッチを含んで構成されており、
前記制御部は、前記第２状態の選択時に、少なくとも一の変換器の接続先を前記第１状態において接続されている分散電源から他の分散電源に切り替えるよう前記スイッチ開閉を制御する
ことを特徴とする請求項３に記載の電力変換装置。
【請求項５】
前記制御部は、使用されていない変換器がある場合には、前記第２状態を選択する
ことを特徴とする請求項３に記載の電力変換装置。
【請求項６】
前記制御部は、前記第２状態において、前記複数の分散電源の中から指定した分散電源に対し、当該分散電源と前記電力線を介して接続されている変換器に加え、前記使用されていない変換器を接続するよう前記切り替え手段の切り替えを指示する
ことを特徴とする請求項５に記載の電力変換装置。
【請求項７】
前記複数の分散電源が蓄電池を含み、
前記制御部は、前記第２状態において、前記蓄電池と前記電力線を介して接続されている変換器に加え、使用されていない変換器を接続するよう前記切り替え手段の切り替えを指示し、両変換器を用いて前記蓄電池以外の電力を前記蓄電池に入力して充電させる
ことを特徴とする請求項３に記載の電力変換装置。
【請求項８】
前記制御部は、所定の時間帯において前記第２状態を選択する
ことを特徴とする請求項７に記載の電力変換装置。
【請求項９】
前記複数の変換器の各々の容量は、前記電力線を介して接続された分散電源の最大出力電力又は最大入力電力よりも小さい
ことを特徴とする請求項１に記載の電力変換装置。
【請求項１０】
前記複数の変換器はそれぞれＤＣ／ＤＣ変換器であって、
各ＤＣ／ＤＣ変換器により変換された各分散電源からのＤＣ電力をＡＣ電力に変換するＤＣ／ＡＣ変換器をさらに備える
ことを特徴とする請求項１に記載の電力変換装置。
【請求項１１】
前記複数の変換器はそれぞれＤＣ／ＤＣ変換器であって、
系統からのＡＣ電力を各ＤＣ／ＤＣ変換器に供給するＤＣ電力に変換するＤＣ／ＡＣ変換器をさらに備える
ことを特徴とする請求項１に記載の電力変換装置。
【請求項１２】
複数の分散電源の出力電力あるいは前記複数の分散電源への供給電力を変換する電力変換装置と、
前記電力変換装置を制御する制御装置とを備える電力変換システムであって、
前記電力変換装置には、前記出力電力あるいは前記供給電力を変換する変換器が複数設けられており、
第１状態において、前記複数の変換器のそれぞれは、前記複数の分散電源からの出力電力あるいは前記複数の分散電源への供給電力を個別に変換し、
第２状態において、前記複数の変換器は、少なくとも一の分散電源との間の出力あるいは入力に対して変換器を複数用いて変換を行い、
前記制御装置は、前記第１状態又は前記第２状態のいずれかを選択する
ことを特徴とする電力変換システム。
【請求項１３】
前記制御装置は、前記複数の分散電源が蓄電池搭載型車両を含む場合に、前記第２状態を選択するとともに、前記蓄電池搭載型車両と電力線を介して接続されている変換器に加え、使用されていない変換器を前記電力変換装置に指示し、
前記電力変換装置は、前記蓄電池搭載型車両と電力線を介して接続されている変換器及び前記使用されていない変換器を用いて、前記蓄電池搭載型車両以外の電力を前記蓄電池搭載型車両に入力して充電させる
ことを特徴とする請求項１２に記載の電力変換システム。
【請求項１４】
前記制御装置は、ＥＣＨＯＮＥＴ  Ｌｉｔｅに準拠した通信プロトコルを用いて、前記電力変換装置を制御する
ことを特徴とする請求項１２に記載の電力変換システム。
【請求項１５】
複数の分散電源の出力電力あるいは前記複数の分散電源への供給電力を変換する電力変換装置における電力変換方法であって、
前記電力変換装置には、前記出力電力あるいは前記供給電力を変換する変換器が複数設けられており、
第１状態において、前記複数の変換器のそれぞれが、前記複数の分散電源からの出力電力あるいは前記複数の分散電源への供給電力を個別に変換するステップと、
第２状態において、前記複数の変換器が、少なくとも一の分散電源との間の出力あるいは入力に対して変換器を複数用いて変換を行うステップとを備える
ことを特徴とする電力変換方法。
【発明の詳細な説明】
【技術分野】
【０００１】
本発明は、分散電源の出力を変換する電力変換装置、電力変換システム、及び電力変換方法に関する。
【背景技術】
【０００２】
近年、系統電力の需要家において、分散電源の導入が進んでいる。分散電源は、例えば、太陽電池、燃料電池、又は蓄電池である。これらの分散電源からの出力電力は、電力変換装置によってＤＣ／ＡＣ変換され、負荷に供給される。電力変換装置は、分散電源が出力したＤＣ電力を昇圧するＤＣ／ＤＣ変換器と、昇圧されたＤＣ電力をＡＣ電力に変換するＤＣ／ＡＣ変換器とを備える。【０００３】
また、複数の分散電源に対応する、ハイブリッド型電力変換装置が知られている。ハイブリッド型電力変換装置は、各分散電源に指定されたＤＣ／ＤＣ変換器と、ＤＣ／ＡＣ変換器とを備える（例えば、特許文献１）。
【先行技術文献】
【特許文献】
【０００４】
【特許文献１】特開２０１２−２２８０４３号公報
【発明の概要】
【０００５】
ところで、ＤＣ／ＤＣ変換器など電力変換器の容量は、対応する分散電源の出力に応じて選定されることが一般的である。しかしながら、ハイブリッド型電力変換装置などのように、複数の変換器を備えるものもあり、コスト及び設置スペースの観点から高効率化が求められている。
【０００６】
そこで、本発明は、変換器を高効率に利用する電力変換装置、電力変換システム、及び電力変換方法を提供することを目的とする。
【０００７】
第１の特徴に係る電力変換装置は、複数の分散電源からの出力電力あるいは前記複数の分散電源への供給電力を変換する。電力変換装置には、前記出力電力あるいは前記供給電力を変換する変換器が複数設けられており、第１状態において、前記複数の変換器のそれぞれは、前記複数の分散電源からの出力電力あるいは前記複数の分散電源への供給電力を個別に変換し、第２状態において、前記複数の変換器は、少なくとも一の分散電源との間の出力あるいは入力に対して変換器を複数用いて変換を行う。
【０００８】
第１の特徴において、前記複数の変換器は、それぞれが複数の分散電源の各々と電力線を介して接続されており、各電力線間を接続する接続線を備え、前記電力線及び前記接続線には、前記第１状態及び前記第２状態において経路を変更する切り替え手段が設けられている。
【０００９】
第１の特徴において、前記第１状態と前記第２状態との切り替えを行う際に前記切り替え手段の切り替えを指示する制御部をさらに有する。
【００１０】
第１の特徴において、前記切り替え手段は複数のスイッチを含んで構成されており、前記制御部は、前記第２状態の選択時に、少なくとも一の変換器の接続先を前記第１状態において接続されている分散電源から他の分散電源に切り替えるよう前記スイッチ開閉を制御する。
【００１１】
第１の特徴において、前記制御部は、使用されていない変換器がある場合には、前記第２状態を選択する。
【００１２】
第１の特徴において、前記制御部は、前記第２状態において、前記複数の分散電源の中から指定した分散電源に対し、当該分散電源と前記電力線を介して接続されている変換器に加え、前記使用されていない変換器を接続するよう前記切り替え手段の切り替えを指示する。
【００１３】
第１の特徴において、前記複数の分散電源が蓄電池を含み、前記制御部は、前記第２状態において、前記蓄電池と前記電力線を介して接続されている変換器に加え、使用されていない変換器を接続するよう前記切り替え手段の切り替えを指示し、両変換器を用いて前記蓄電池以外の電力を前記蓄電池に入力して充電させる。
【００１４】
第１の特徴において、前記制御部は、所定の時間帯において前記第２状態を選択する。
【００１５】
第１の特徴において、前記複数の変換器の各々の容量は、前記電力線を介して接続された分散電源の最大出力電力又は最大入力電力よりも小さい。
【００１６】
第１の特徴において、前記複数の変換器はそれぞれＤＣ／ＤＣ変換器であって、各ＤＣ／ＤＣ変換器により変換された各分散電源からのＤＣ電力をＡＣ電力に変換するＤＣ／ＡＣ変換器をさらに備える。
【００１７】
第１の特徴において、前記複数の変換器はそれぞれＤＣ／ＤＣ変換器であって、系統からのＡＣ電力を各ＤＣ／ＤＣ変換器に供給するＤＣ電力に変換するＤＣ／ＡＣ変換器をさらに備える。
【００１８】
第２の特徴に係る電力変換システムは、複数の分散電源の出力電力あるいは前記複数の分散電源への供給電力を変換する電力変換装置と、前記電力変換装置を制御する制御装置とを備える。前記電力変換装置には、前記出力電力あるいは前記供給電力を変換する変換器が複数設けられており、第１状態において、前記複数の変換器のそれぞれは、前記複数の分散電源からの出力電力あるいは前記複数の分散電源への供給電力を個別に変換し、第２状態において、前記複数の変換器は、少なくとも一の分散電源との間の出力あるいは入力に対して変換器を複数用いて変換を行い、前記制御装置は、前記第１状態又は前記第２状態のいずれかを選択する。
【００１９】
第２の特徴において、前記制御装置は、前記複数の分散電源が蓄電池搭載型車両を含む場合に、前記第２状態を選択するとともに、前記蓄電池搭載型車両と電力線を介して接続されている変換器に加え、使用されていない変換器を前記電力変換装置に指示し、前記電力変換装置は、前記蓄電池搭載型車両と電力線を介して接続されている変換器及び前記使用されていない変換器を用いて、前記蓄電池搭載型車両以外の電力を前記蓄電池搭載型車両に入力して充電させる。
【００２０】
第２の特徴において、前記制御装置は、ＥＣＨＯＮＥＴ  Ｌｉｔｅに準拠した通信プロトコルを用いて、前記電力変換装置を制御する。
【００２１】
第３の特徴に係る電力変換方法は、複数の分散電源の出力電力あるいは前記複数の分散電源への供給電力を変換する電力変換装置における電力変換方法である。前記電力変換装置には、前記出力電力あるいは前記供給電力を変換する変換器が複数設けられており、第１状態において、前記複数の変換器のそれぞれが、前記複数の分散電源からの出力電力あるいは前記複数の分散電源への供給電力を個別に変換するステップと、第２状態において、前記複数の変換器が、少なくとも一の分散電源との間の出力あるいは入力に対して変換器を複数用いて変換を行うステップとを備える。
【図面の簡単な説明】
【００２２】
【図１】図１は、本発明の第１実施形態に係る電力変換システムの全体構成図である。
【図２】図２は、本発明の第１実施形態に係るＰＣＳの基本構成を示す図である。
【図３】図３は、本発明の第１実施形態に係る第２状態におけるＰＣＳの構成を示す図である。
【図４】図４は、本発明の第１実施形態に係る電力変換方法を示すフロー図である。
【図５】図５は、本発明の第１実施形態に係る電力変換方法を示すフロー図である。
【図６】図６は、本発明の第２実施形態に係るＥＭＳのブロック図である。
【図７】図７は、本発明の第２実施形態に係る電力変換方法を示すフロー図である。
【発明を実施するための形態】
【００２３】
以下において、本発明の実施形態に係る電力変換装置、電力変換システム、及び電力変換方法について、図面を参照しながら説明する。以下の図面の記載において、同一又は類似の部分には、同一又は類似の符号を付している。
【００２４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２５】
［実施形態の概要］
実施形態に係る電力変換装置は、複数の分散電源からの出力電力を変換する、あるいは複数の分散電源への供給電力を変換する。電力変換装置には、出力電力あるいは供給電力を変換する変換器が複数設けられている。
【００２６】
実施形態では、第１状態において、複数の変換器のそれぞれは、複数の分散電源からの出力電力あるいは複数の分散電源への供給電力を個別に変換し、第２状態において、複数の変換器は、少なくとも一の分散電源との間の出力あるいは入力に対して変換器を複数用いて変換を行う。これによって、変換器を高効率に利用する電力変換装置、電力変換システム、及び電力変換方法を提供することができる。
【００２７】
［第１実施形態］
（１）電力変換システムの全体構成
図１は、第１実施形態に係る電力変換システムの全体構成図である。以下の図面において、電力ラインは実線で示し、信号ラインは破線で示している。信号ラインは有線に限定されず、無線であってもよい。
【００２８】
図１に示すように、第１実施形態に係る電力変換システムにおいては、系統１からＡＣ電力の供給を受ける需要家に、太陽電池（ＰＶ）１１０，１２０、蓄電池１３０、電気自動車（ＥＶ）１４０、パワーコンディショナ（ＰＣＳ）２００、分電盤３００、負荷４００、及びＥＭＳ５００が設けられる。
【００２９】
ＰＶ１１０，１２０は、分散電源の一例であり、太陽光を受けて発電する太陽光発電装置（ＰｈｏｔｏＶｏｌｔａｉｃ  ｄｅｖｉｃｅ）である。ＰＶ１１０，１２０は、発電したＤＣ電力をＰＣＳ２００に出力する。ＰＶ１１０，１２０は、１又は複数のパネルにより構成される。また、ＰＶ１１０，１２０は、複数のパネルにより構成されたストリングを複数用いて構成されていてもよい。
【００３０】
蓄電池１３０は、分散電源の一例であり、ＤＣ電力を蓄積する装置である。蓄電池１３０は、蓄積したＤＣ電力を放電し、ＰＣＳ２００に出力する。また、蓄電池１３０は、ＰＣＳ２００から供給されたＤＣ電力によって充電される。
【００３１】
ＥＶ１４０は、蓄電池によって駆動される蓄電池搭載型車両であり、本システムにおいては蓄電池の一例とみなす。ＥＶ１４０は、ＰＣＳ２００から供給されたＤＣ電力によって充電される点で、蓄電池１３０と共通する。ただし、ＥＶ１４０は、常時ＰＣＳ２００に接続されておらず、ＰＣＳ２００と接続されていないとき（すなわち、走行時）に、蓄積したＤＣ電力を消費（放電）する点で、蓄電池１３０と相違する。ＥＶ１４０は、ＰＣＳ２００との接続時に蓄積したＤＣ電力を放電し、ＰＣＳ２００に出力することもできる。
【００３２】
ＰＣＳ２００は、分散電源の出力を変換する電力変換装置の一例である。ＰＣＳ２００は、ＰＶ１１０，１２０、蓄電池１３０及びＥＶ１４０が出力したＤＣ電力をＡＣ電力に変換し、例えば分電盤３００に出力する。ＰＣＳ２００は、系統１から供給された電力を蓄電池１３０及びＥＶ１４０に供給することにより、蓄電池１３０を充電する。また、ＰＣＳ２００は、ＰＶ１１０，１２０からの出力電力を、蓄電池１３０及びＥＶ１４０に供給することにより、蓄電池１３０及びＥＶ１４０を充電することもできる。
【００３３】
このように、複数の分散電源（ＰＶ１１０，１２０、蓄電池１３０及びＥＶ１４０）に対応するＰＣＳは、ハイブリッドＰＣＳとも称される。
【００３４】
分電盤３００は、電力の分配を行う装置である。分電盤３００は、電力ラインを介して、系統１、負荷４００及びＰＣＳ２００と接続されている。分電盤３００は、ＰＣＳ２００が出力したＡＣ電力が負荷４００の消費電力を下回る場合には、不足分のＡＣ電力を系統１から受電して、ＰＣＳ２００が出力したＡＣ電力と系統１から供給されたＡＣ電力とを併せて、負荷４００に供給する。
【００３５】
分電盤３００は、ＰＣＳ２００が出力したＡＣ電力を、系統１に逆潮流（売電）してもよい。ただし、ＰＣＳ２００が出力したＡＣ電力は、逆潮流が認められていない分散電源（例えば、蓄電池１３０及びＥＶ１４０）の出力を含む場合がある。このようなケースにおいては、ＰＣＳ２００は、逆潮流が認められている分散電源（例えば、ＰＶ１１０，１２０）の出力のみを、分電盤３００に逆潮流することに留意すべきである。
【００３６】
分電盤３００は、ＰＣＳ２００及びＥＭＳ５００と信号ラインを介して接続され、ＥＣＨＯＮＥＴ  ＬｉｔｅあるいはＺｉｇ  Ｂｅｅ（登録商標）などの所定の通信プロトコルを用いて通信を行う。分電盤３００は、例えば、系統１から供給を受ける電力、又は系統１に逆潮流する電力の計測値を、ＰＣＳ２００及びＥＭＳ５００に送信する。
【００３７】
負荷４００は、電力ラインを介して供給されたＡＣ電力を消費する装置である。負荷４００は、例えば、照明、エアコン、冷蔵庫、及びテレビ等の装置を含む。負荷４００は、１つの装置であってもよく、複数の装置を含んでもよい。
【００３８】
ＥＭＳ５００は、制御装置の一例であり、ＰＣＳ２００、分電盤３００及び負荷４００を制御する装置（Ｅｎｅｒｇｙ  Ｍａｎａｇｅｍｅｎｔ  Ｓｙｓｔｅｍ）である。ＥＭＳ５００は、ＰＣＳ２００、分電盤３００及び負荷４００と、信号ラインを介して接続されている。ＥＭＳ５００は、ＰＣＳ２００、分電盤３００及び負荷４００を、ＥＣＨＯＮＥＴ  Ｌｉｔｅ等の所定の通信プロトコルに準拠した信号を用いて制御する。
【００３９】
ＥＭＳ５００は、ＰＶ１１０，１２０の出力、蓄電池１３０及びＥＶ１４０が蓄積した電力量（蓄電量）、及び負荷４００の消費電力の計測値を取得してもよい。ＥＭＳ５００は、系統１から供給を受ける電力、又は系統１に逆潮流する電力の計測値を、例えば分電盤３００から取得してもよい。また、ＥＭＳ５００は、ＰＶ１１０，１２０の出力、蓄電池１３０及びＥＶ１４０の充放電電力、蓄電池１３０及びＥＶ１４０の蓄電量を、ＰＣＳ２００から取得してもよい。ＥＭＳ５００は、これらの計測値に基づいて、ＰＶ１１０，１２０の出力、蓄電池１３０及びＥＶ１４０の蓄電量、及び負荷４００の消費電力の予測値を算出してもよい。また、ＥＭＳ５００は、これらの計測値をＰＣＳ２００に送信してもよい。
【００４０】
また、ＥＭＳ５００は、外部ネットワークを介して各種サーバと接続されてもよい。ＥＭＳ５００は、例えば、系統１から供給を受ける電力の購入単価、及び系統１に対する電力の売却単価などの情報を、各種サーバから取得してもよい。
【００４１】
（２）ＰＣＳの基本構成
以下において、第１実施形態に係るＰＣＳ２００の基本構成について説明する。図２は、ＰＣＳ２００の基本構成を示す図である。
【００４２】
図２に示すように、第１実施形態に係るＰＣＳ２００は、ＤＣ／ＤＣ変換器２１０，２２０，２３０，２４０、ＤＣ／ＡＣ変換器２５０及び制御部２６０を備える。ＤＣ／ＤＣ変換器２１０，２２０，２３０，２４０及びＤＣ／ＡＣ変換器２５０は、電力変換を行う変換器の一例である。
【００４３】
ＤＣ／ＤＣ変換器２１０は、ＰＶ１１０用の接続ポートＰ１を有する入力側電力線ＩＬ１と接続される。また、ＤＣ／ＤＣ変換器２１０は、出力側電力線ＯＬ１を介して、ＤＣ／ＡＣ変換器２５０と接続される。ＤＣ／ＤＣ変換器２１０は、入力側電力線ＩＬ１を介して入力されたＰＶ１１０の出力電力を昇圧して、出力側電力線ＯＬ１に出力する。
【００４４】
ＤＣ／ＤＣ変換器２２０は、ＰＶ１２０用の接続ポートＰ２を有する入力側電力線ＩＬ２と接続される。また、ＤＣ／ＤＣ変換器２２０は、出力側電力線ＯＬ２を介して、ＤＣ／ＡＣ変換器２５０と接続される。ＤＣ／ＤＣ変換器２２０は、入力側電力線ＩＬ２を介して入力されたＰＶ１２０の出力電力を昇圧して、出力側電力線ＯＬ２に出力する。
【００４５】
ＤＣ／ＤＣ変換器２３０は、双方向型のＤＣ／ＤＣ変換器である。蓄電池１３０用の接続ポートＰ３を有する入力側電力線ＩＬ３と接続される。また、ＤＣ／ＤＣ変換器２３０は、出力側電力線ＯＬ３を介して、ＤＣ／ＡＣ変換器２５０と接続される。
【００４６】
ＤＣ／ＤＣ変換器２４０は、ＥＶ１４０用の接続ポートＰ４を有する入力側電力線ＩＬ４と接続される。また、ＤＣ／ＤＣ変換器２４０は、出力側電力線ＯＬ４を介して、ＤＣ／ＡＣ変換器２５０と接続される。ＤＣ／ＤＣ変換器２４０は、入力側電力線ＩＬ４を介して入力されたＥＶ１４０の出力電力を昇圧して、出力側電力線ＯＬ４に出力する。また、ＤＣ／ＤＣ変換器２４０は、出力側電力線ＯＬ４を介して入力された電力を降圧して、入力側電力線ＩＬ４を介してＥＶ１４０に出力する。
【００４７】
ＤＣ／ＤＣ変換器２４０は、ＤＣ／ＤＣ変換器２３０と同様に、ＥＶ１４０の充放電に対応する双方向型のＤＣ／ＤＣ変換器である。
【００４８】
第１実施形態において、入力側電力線ＩＬ２，ＩＬ３，ＩＬ４の各々は、スイッチを備える接続線を介して他の入力側電力線ＩＬ２，ＩＬ３，ＩＬ４と接続されている。具体的には、入力側電力線ＩＬ２は、スイッチＳＷａを備える接続線ＢＬａを介して入力側電力線ＩＬ３と接続されている。入力側電力線ＩＬ３は、スイッチＳＷｂを備える接続線ＢＬｂを介して入力側電力線ＩＬ４と接続されている。入力側電力線ＩＬ４は、スイッチＳＷｃを備える接続線ＢＬｃを介して入力側電力線ＩＬ２と接続されている。
【００４９】
また、入力側電力線ＩＬ２，ＩＬ３，ＩＬ４の各々は、接続線との接続位置よりも接続ポートＰ２，Ｐ３，Ｐ４側に、スイッチＳＷ２，ＳＷ３，ＳＷ４を備える。入力側電力線及び接続線に設けられたスイッチ（スイッチＳＷａ，ＳＷｂ、ＳＷｃ，及びスイッチＳＷ２，ＳＷ３，ＳＷ４）は、後述するように、少なくとも一の分散電源から接続先の変換器までの経路を変更する切り替え手段を構成する。また、ＤＣ／ＤＣ変換器２２０は、ＤＣ／ＤＣ変換器２３０，２４０と同様に、双方向型のＤＣ／ＤＣ変換器であることが好ましい。
【００５０】
ＤＣ／ＡＣ変換器２５０は、ＤＣ／ＤＣ変換器２１０，２２０，２３０，２４０から入力されたＤＣ電力をＡＣ電力に変換して、分電盤３００に出力する。また、ＤＣ／ＡＣ変換器２５０は、分電盤３００から入力されたＡＣ電力をＤＣ電力に変換して、例えば、ＤＣ／ＤＣ変換器２３０，２４０に出力する。
【００５１】
制御部２６０は、ＰＣＳ２００の各種機能を制御する。具体的には、制御部２６０は、各接続ポートＰ１、Ｐ２，Ｐ３，Ｐ４に接続される分散電源の情報を取得する。また、制御部２６０は、ＰＶ１１０，１２０の出力の計測値と、蓄電池１３０及びＥＶ１４０の充放電電力及び蓄電量の計測値とを取得する。
【００５２】
制御部２６０は、ＥＭＳ５００との間で、ＥＣＨＯＮＥＴ  Ｌｉｔｅ等の所定の通信プロトコルに規定されたフォーマットの信号を送受信する。制御部２６０は、取得した各種の計測値を、ＥＭＳ５００に送信してもよい。また、制御部２６０には、ユーザからの入力を受け付けるユーザインターフェイス部が接続されていてもよい。
【００５３】
（３）ＰＣＳの動作
以下において、ＰＣＳ２００の動作について説明する。第１実施形態において、複数の変換器は、第１状態においては、前記複数の分散電源との間の入出力を個別に変換し、第２状態においては、少なくとも一の分散電源との間の入出力に対して変換器を複数用いて変換を行う。
【００５４】
ここで、「複数の分散電源」及び「複数のＤＣ／ＤＣ変換器」は、その各々を接続する電力線が、スイッチを備える接続線を介して他の電力線と接続されることに留意すべきである。すなわち、図２に示す分散電源の中で、ＰＶ１２０、蓄電池１３０及びＥＶ１４０が「複数の分散電源」に相当し、図２に示すＤＣ／ＤＣ変換器の中で、ＤＣ／ＤＣ変換器２２０，２３０，２４０が「複数のＤＣ／ＤＣ変換器」に相当し、第１状態又は第２状態が適用される。一方、この例においては図２に示すＰＶ１１０及びＤＣ／ＤＣ変換器２１０は、第１状態又は第２状態が適用されず、常に、これらの間において電力の伝達が行われるものとする。
【００５５】
第１実施形態において、制御部２６０は、第１状態と第２状態との切り替えを行う際に、切り替え手段の切り替えを指示する。上述したように、切り替え手段は、複数のスイッチ（スイッチＳＷａ，ＳＷｂ、ＳＷｃ，及びスイッチＳＷ２，ＳＷ３，ＳＷ４）を含んで構成される。以下、第１状態及び第２状態について説明する。
【００５６】
（３．１）第１状態
まず、第１状態におけるＰＣＳ２００の構成を説明する。第１状態において、ＰＣＳ２００は、図２に示す構成で動作する。具体的には、制御部２６０は、第１状態選択時において、スイッチＳＷ２，ＳＷ３，ＳＷ４をオンにし、スイッチＳＷａ，ＳＷｂをオフにする。従って、第１状態においては、各分散電源と、入力側電力線を介して接続されたＤＣ／ＤＣ変換器とが１対１で対応し、各分散電源と対応する１つのＤＣ／ＤＣ変換器との間で、電力の伝達が行われる。
【００５７】
（３．２）第２状態
次に、第２状態におけるＰＣＳ２００の構成を説明する。図３は、第２状態におけるＰＣＳ２００の構成を示す図である。ここで、ＤＣ／ＤＣ変換器２２０，２３０，２４０は、いずれも双方向型のＤＣ／ＤＣ変換器であるとする。
【００５８】
第１実施形態において、制御部２６０は、第２状態選択時に、少なくとも一の変換器の接続先を、第１状態において接続されている分散電源から他の分散電源に切り替えるようスイッチ開閉を制御する。例えば、図３に示すケースでは、制御部２６０は、ＤＣ／ＤＣ変換器２４０の接続先を、第１状態において接続されているＥＶ１４０から蓄電池１３０に切り替え、ＤＣ／ＤＣ変換器２２０の接続先を、第１状態において接続されているＰＶ１２０から蓄電池１３０に切り替える。そこで、制御部２６０は、蓄電池１３０とＤＣ／ＤＣ変換器２２０，２３０，２４０との間に位置するスイッチＳＷ３，ＳＷａ，ＳＷｂをオンにし、スイッチＳＷ２，ＳＷ４，ＳＷｃをオフにする。これにより、ＰＣＳ２００は、蓄電池１３０の出力に対して、ＤＣ／ＤＣ変換器２２０，２３０，２４０を用いて変換を行う。
【００５９】
（３．３）第２状態の適用場面
以下において、第２状態の適用場面の例について説明する。
【００６０】
（３．３．１）非使用ＤＣ／ＤＣ変換器を用いた蓄電池の放電
まず、使用されていないＤＣ／ＤＣ変換器がある場合に第２状態を選択する例について説明する。第１実施形態において、制御部２６０は、使用されていない変換器がある場合には、第２状態を選択する。制御部２６０は、第２状態において、複数の分散電源の中から指定した分散電源に対し、当該分散電源と入力側電力線を介して接続されている変換器に加え、使用されていない変換器を接続するよう切り替え手段の切り替えを指示する。
【００６１】
具体的には、図３に示すように、ＥＶ１４０が接続ポートＰ４と接続されていない（つまりＥＶが外出している）場合、ＤＣ／ＤＣ変換器２４０は使用されていない。そこで、制御部２６０は、蓄電池１３０に対し、蓄電池１３０と入力側電力線ＩＬ３を介して接続されているＤＣ／ＤＣ変換器２３０に加え、使用されていないＤＣ／ＤＣ変換器２４０を接続するよう、スイッチＳＷｂをオンにし、スイッチＳＷ４をオフにする。
【００６２】
ここで、この例においては複数のＤＣ／ＤＣ変換器の各々の容量は、電力線を介して接続された分散電源の最大出力電力又は最大入力電力よりも小さい。しかしながら、第２状態において、少なくとも一の分散電源の出力変換に用いられる複数のＤＣ／ＤＣ変換器の合計容量は、当該一の分散電源の最大出力電力又は最大入力電力以上とすることができる。従って、上述したように、蓄電池１３０の出力変換に２つのＤＣ／ＤＣ変換器２３０，２４０が用いられる場合、蓄電池１３０は最大出力での放電、又は最大入力での充電を行うことができるようになる。
【００６３】
また、図３のケースでは、例えば夜間あるいは悪天候時等のＰＶ１２０の出力が無い場合でもあり、この場合における例としてほとんど使用されることのないＤＣ／ＤＣ変換器２２０を蓄電池１３０に接続している。この接続状態についての説明を次に行う。
【００６４】
（３．３．２）非使用ＤＣ／ＤＣ変換器を用いた蓄電池の充電
次に、所定の時間帯に第２状態を選択し、蓄電池を充電する例について説明する。第１実施形態において、複数の分散電源が蓄電池を含む場合に、制御部２６０は、第２状態において、蓄電池と入力側電力線を介して接続されている変換器に加え、他の変換器を接続するよう切り替え手段の切り替えを指示し、両変換器を用いて蓄電池以外の電力を蓄電池に入力して充電させる。
【００６５】
具体的には、制御部２６０は、所定の時間帯において第２状態を選択する。ここで、所定の時間帯は、例えば、系統１からの電力購入単価が低い深夜帯である。また、深夜帯においては、ＰＶ１２０は運転を停止しているため、第１状態の場合、ＤＣ／ＤＣ変換器２２０は使用されていない。そこで、蓄電池１３０用に使用する。
【００６６】
制御部２６０は、蓄電池１３０に対して、ＤＣ／ＤＣ変換器２３０に加え、使用されていないＤＣ／ＤＣ変換器２２０を接続するよう切り替え手段の切り替えを指示する。すなわち、制御部２６０は、スイッチＳＷ２をオフにするとともにスイッチＳＷａをオンにし、ＤＣ／ＤＣ変換器２２０，２３０を用いて蓄電池１３０を充電させる。これにより蓄電池１３０に対する充電電力を大きく確保することが可能となる。
【００６７】
ここで、制御部２６０は、所定の時間帯において、ＥＶ１４０が接続ポートＰ４に接続しておらず、ＤＣ／ＤＣ変換器２４０が使用されていない場合には、ＤＣ／ＤＣ変換器２４０をさらに接続するよう、切り替え手段の切り替えを指示することも可能である。また、所定の時間帯において、ＥＶ１４０が接続ポートＰ４に接続している場合には、制御部２６０は、ＥＶ１４０に対して、ＤＣ／ＤＣ変換器２４０に加え、使用されていないＤＣ／ＤＣ変換器２２０を接続するよう切り替え手段の切り替えを指示し、ＥＶ１４０を充電してもよいことは勿論である。これによりＥＶ１４０に対する充電電力を大きく確保することが可能となる。
【００６８】
（４）電力変換方法
以下において、本発明の第１実施形態に係る電力変換方法を説明する。図４及び図５は、本発明の第１実施形態に係る電力変換方法を示すフロー図である。
【００６９】
まず、図４を参照して、使用されていないＤＣ／ＤＣ変換器がある場合に第２状態を選択する例についてのフローを説明する。ステップＳ１００において、ＰＣＳ２００は、各接続ポートＰ１，Ｐ２，Ｐ３，Ｐ４に接続された分散電源の情報を取得する。上述したように、接続ポートＰ２，Ｐ３，Ｐ４に接続されたＰＶ１２０、蓄電池１３０及びＥＶ１４０は、第２状態を適用可能な分散電源である。
【００７０】
ステップＳ１１０において、ＰＣＳ２００は、使用されていないＤＣ／ＤＣ変換器があるか否かを判定する。判定結果がＹＥＳの場合、ＰＣＳ２００は、ステップＳ１２０の処理に進む。判定結果がＮＯの場合、ＰＣＳ２００は、ステップＳ１５０の処理に進み、第１状態で動作する。
【００７１】
ステップＳ１２０において、ＰＣＳ２００は、第２状態を選択する。
【００７２】
ステップＳ１３０において、ＰＣＳ２００は、少なくとも一の分散電源の出力の変換に用いる変換器を複数指定する。
【００７３】
ステップＳ１４０において、ＰＣＳ２００は、少なくとも一の変換器の接続先を第１状態において接続されている分散電源から他の分散電源に切り替えるよう、スイッチ開閉を制御する。
【００７４】
次に、図５を参照して、所定の時間帯において第２状態を選択し、蓄電池を充電する例についてのフロー図を示す。ステップＳ２００において、ＰＣＳ２００は、各接続ポートＰ１，Ｐ２，Ｐ３，Ｐ４に接続された分散電源の情報を取得する。上述したように、接続ポートＰ２，Ｐ３，Ｐ４に接続されたＰＶ１２０、蓄電池１３０及びＥＶ１４０は、第２状態を適用可能な分散電源である。
【００７５】
ステップＳ２１０において、ＰＣＳ２００は、現在時刻が所定の時間帯であるか否かを判定する。判定結果がＹＥＳの場合、ＰＣＳ２００は、ステップＳ２２０の処理に進む。判定結果がＮＯの場合、ＰＣＳ２００は、ステップＳ２６０の処理に進み、第１状態で動作する。
【００７６】
ステップＳ２２０において、ＰＣＳ２００は、第２状態を選択する。
【００７７】
ステップＳ２３０において、ＰＣＳ２００は、使用されていない変換器を特定する。ここでは、使用されていない変換器としてＤＣ／ＤＣ変換器２２０が特定されたものとする。
【００７８】
ステップＳ２４０において、ＰＣＳ２００は、蓄電池１３０に対して、ＤＣ／ＤＣ変換器２３０に加え、ＤＣ／ＤＣ変換器２２０を接続するよう、スイッチの切り替えを指示する。
【００７９】
ステップＳ２５０において、ＰＣＳ２００は、蓄電池１３０に接続されたＤＣ／ＤＣ変換器２２０，２３０を用いて、蓄電池１３０を充電する。
【００８０】
以上説明したように、第１実施形態においては、一の分散電源の出力に対して一の変換器を用いて変換を行う第１状態に加え、少なくとも一の分散電源の出力に対して変換器を複数用いて変換を行う第２状態が設けられる。つまり、変換器を高効率に利用することにより、変換器の容量増加を抑制し、コストダウン及び省スペース化を実現することができる。
【００８１】
ところで、第1実施形態においては、ＤＣ／ＤＣ変換器２４０が使用されていないと制御部２６０が判断した場合に、蓄電池１３０に対応するＤＣ／ＤＣ変換器としてＤＣ／ＤＣ変換器２３０に加えて２４０を指定するという、いわばソフトウェアによる構成を示した。しかしながら同様の制御はソフトウェアでなく、ハードウェアによって構成しても良い。すなわち、比較器などを用いて例えばＤＣ／ＤＣ変換器２４０が使用されていないこと（入出力される電力が所定値未満）が検出される場合に、ＤＣ／ＤＣ変換器２４０を蓄電池１３０に対応するＤＣ／ＤＣ変換器として強制的に接続するようスイッチを切り替えるロジック回路が構成されていてもよい。
【００８２】
［第２実施形態］
以下において、本発明の第２実施形態に係る電力変換システムについて説明する。図６は、本発明の第２実施形態に係るＥＭＳ５００のブロック図である。以下においては、第１実施形態に対する差異について主として説明する。
【００８３】
図６に示すように、ＥＭＳ５００は、宅内通信部５１０と、宅外通信部５２０と、制御部５３０と、記憶部５４０とを有する。
【００８４】
宅内通信部５１０は、例えばＷｉＦｉなどの近距離無線通信に対応し、信号線を介して接続された装置と各種信号の送受信を行う。例えば、宅内通信部５１０は、負荷４００の機器種別及び消費電力等の情報を受信する。
【００８５】
第２実施形態において、宅内通信部５１０は、ＰＶ１１０，１２０、蓄電池１３０及びＥＶ１４０についての各種情報（以下、分散電源情報）を、信号線を介して受信する。分散電源情報は、例えば、機器種別、機器ＩＤ、定格出力、接続されたＰＣＳ２００の接続ポート番号等を含む。分散電源情報は、例えばＥＣＨＯＮＥＴ  Ｌｉｔｅ等の所定のプロトコルに規定されたフォーマットで、宅内通信部５１０に送信される。宅内通信部５１０は、分散電源情報をＰＣＳ２００（制御部２６０）から受信してもよい。
【００８６】
第２実施形態において、宅内通信部５１０は、ＤＣ／ＤＣ変換器２１０，２２０，２３０，２４０についての各種情報（以下、ＤＣ／ＤＣ変換器情報）を、信号線を介してＰＣＳ２００から受信する。ＤＣ／ＤＣ変換器情報は、例えば、容量、及び入力側電力線に接続された接続線の有無等を含む。ＤＣ／ＤＣ変換器情報は、例えばＥＣＨＯＮＥＴ  Ｌｉｔｅ等の所定のプロトコルに規定されたフォーマットで、宅内通信部５１０に送信される。
【００８７】
宅外通信部５２０は、例えばＥｔｈｅｒｎｅｔ（登録商標）などの公衆通信方式に対応し、例えば外部のサーバと通信を行う。
【００８８】
制御部５３０は、ＥＭＳ５００の動作を制御する。また、制御部５３０は、例えばＥＣＨＯＮＥＴ  Ｌｉｔｅ等の所定のプロトコルに規定されたフォーマットでコマンドを生成し、宅内通信部５１０を介してＰＣＳ２００及び負荷４００にコマンドを送信することによって、ＰＣＳ２００及び負荷４００を制御する。
【００８９】
記憶部５４０は、制御部５３０がＰＣＳ２００及び負荷４００を制御するために必要な情報を格納する。具体的には、記憶部５４０は、分散電源情報及びＤＣ／ＤＣ変換器情報を記憶する。
【００９０】
第２実施形態において、複数の変換器は、第１状態においては、複数の分散電源の出力を個別に変換し、第２状態においては、少なくとも一の分散電源の出力に対して変換器を複数用いて変換を行う。ＥＭＳ５００（制御部５３０）は、第１状態又は前記第２状態のいずれかを選択する。
【００９１】
具体的には、ＥＭＳ５００（制御部５３０）は、第２状態において、複数の分散電源の中から指定した一の分散電源に対し、当該分散電源と電力線を介して接続されたＤＣ／ＤＣ変換器に加え、さらに少なくとも１つのＤＣ／ＤＣ変換器を複数のＤＣ／ＤＣ変換器の中から指定して接続する。ＰＣＳ２００は、指定された分散電源と、電力線を介して接続されているＤＣ／ＤＣ変換器および指定されたＤＣ／ＤＣ変換器との間の電力伝達経路に応じて、スイッチを制御する。
【００９２】
換言すると、第１実施形態においては、ＰＣＳ２００（制御部２６０）が行っていた第１状態又は第２状態の選択、及び第２状態において指定された分散電源の出力変換に用いられるＤＣ／ＤＣ変換器の指定を、第２実施形態においては、ＥＭＳ５００（制御部５３０）が行う。ＥＭＳ５００は、取得した分散電源情報及びＤＣ／ＤＣ変換器情報と、分散電源の出力電力又は入力電力の計測値とに基づいて、第１状態又は第２状態を選択する。ＥＭＳ５００（制御部５３０）は、第２状態において、指定された分散電源及び指定されたＤＣ／ＤＣ変換器についての情報を、ＰＣＳ２００（制御部２６０）に送信し、指定された分散電源と指定されたＤＣ／ＤＣ変換器との間の電力伝達経路に応じて、スイッチを制御するようＰＣＳ２００（制御部２６０）に指示する。
【００９３】
第２実施形態において、ＥＭＳ５００（制御部５３０）は、複数の分散電源がＥＶ１４０を含む場合に、第２状態を選択し、ＥＶ１４０と電力線を介して接続されている変換器に加え、使用されていない変換器をＰＣＳ２００（制御部２６０）に指示する。ＰＣＳ２００（制御部２６０）は、ＥＶ１４０と電力線を介して接続されている変換器及び使用されていない変換器を用いて、ＥＶ１４０以外の電力をＥＶ１４０に入力して充電させる。
【００９４】
具体的には、ＥＭＳ５００は、複数の分散電源がＥＶ１４０を含む場合に、ＥＶ１４０が電力線と接続されているか否かを判定する。ＥＭＳ５００は、ＥＶ１４０が電力線と接続されたと判定した場合に第２状態を選択するとともに、ＥＶ１４０に対応する２つ以上のＤＣ／ＤＣ変換器を指定し、ＰＣＳ２００（制御部２６０）に指示する。例えば、ＤＣ／ＤＣ変換器２２０が使用されていない場合、ＰＣＳ２００は、スイッチＳＷ２をオフにするとともにスイッチＳＷｃをオンにし、ＤＣ／ＤＣ変換器２２０，２４０を用いて、ＥＶ１４０以外の電力をＥＶ１４０に入力して充電させる。
【００９５】
ＥＭＳ５００は、分散電源情報に含まれる機器種別により、ＥＶ１４０と蓄電池１３０とを区別することができる。ＥＶ１４０は、蓄電池１３０と異なり、ＰＣＳ２００と接続されていないときに放電を行うため、ＰＣＳ２００と接続された時点で、蓄電池１３０よりも優先的に充電される必要性がある。そこで、ＥＭＳ５００は、ＥＶ１４０が接続ポートＰ４に接続されたと判定した場合に、第２状態を選択する。ＥＭＳ５００は、ＥＶ１４０が接続されたことをＰＣＳ２００に通知するとともに、ＥＶ１４０に対応する２つ以上のＤＣ／ＤＣ変換器を指定する。ここで、第１実施形態と同様に、ＥＭＳ５００は、使用されていないＤＣ／ＤＣ変換器を指定することが好ましい。ただし、使用されていないＤＣ／ＤＣ変換器がない場合は、例えば、蓄電池１３０の運転を停止させてＤＣ／ＤＣ変換器２３０を指定し、ＥＶ１４０の充電を優先させる。
【００９６】
以下において、本発明の第２実施形態に係る電力変換方法を説明する。図７は、本発明の第２実施形態に係る電力変換方法を示すフロー図である。
【００９７】
ステップＳ３００において、ＥＭＳ５００は、分散電源情報及びＤＣ／ＤＣ変換器情報を取得する。上述したように、接続ポートＰ２，Ｐ３，Ｐ４に接続されたＰＶ１２０、蓄電池１３０及びＥＶ１４０は、第２状態を適用可能な分散電源である。
【００９８】
ステップＳ３１０において、ＥＭＳ５００は、ＥＶ１４０がＰＣＳ２００（接続ポートＰ４）に接続されているか否かを判定する。判定結果がＹＥＳの場合、ＰＣＳ２００は、ステップＳ３２０の処理に進む。判定結果がＮＯの場合、ＰＣＳ２００は、ステップＳ３５０の処理に進み、第１状態で動作する。
【００９９】
ステップＳ３２０において、ＥＭＳ５００は、第２状態を選択する。
【０１００】
ステップＳ３３０において、ＥＭＳ５００は、ＥＶ１４０と電力線を介して接続されている変換器に加え、使用されていない変換器をＰＣＳ２００に指示する。ここでは、使用されていない変換器としてＤＣ／ＤＣ変換器２２０が指示されたものとする。
【０１０１】
ステップＳ３４０において、ＰＣＳ２００は、ＥＶ１４０と指定されたＤＣ／ＤＣ変換器との間の電力伝達経路に応じて、スイッチを制御する。これにより、ＥＭＳ５００は、ＤＣ／ＤＣ変換器２２０，２４０を用いて、ＥＶ１４０以外の電力をＥＶ１４０に入力して充電させる。
【０１０２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０３】
ＥＭＳ５００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよく、ＭＥＭＳ（Ｍａｎｓｉｏｎ  Ｅｎｅｒｇｙ  Ｍａｎａｇｅｍｅｎｔ  Ｓｙｓｔｅｍ）であってもよい。
【０１０４】
上述した実施形態においては、発電装置の一例として、ＰＶ１１０，１２０を説明した。しかしながら、電力変換システムは、ＰＶ１１０，１２０に代えて、例えばＳＯＦＣ（Ｓｏｌｉｄ  Ｏｘｉｄｅ  Ｆｕｅｌ  Ｃｅｌｌ）又はＰＥＦＣ（Ｐｏｌｙｍｅｒ  Ｅｌｅｃｔｒｏｌｙｔｅ  Ｆｕｅｌ  Ｃｅｌｌ）等の燃料電池を、発電装置として備えてもよい。又は、電力変換システムは、ＰＶ１１０，１２０に加えて、燃料電池を発電装置としてさらに備えてもよい。
【０１０５】
さらに、上述した実施形態においては、第１状態と第２状態とにおいて対応関係を切り替える対象としてＤＣ／ＤＣ変換器を電力変換を行う変換器の一例として説明を行ったが、これに限定されるものではない。すなわち、ＤＣ／ＡＣ変換器あるいはＡＣ／ＤＣ変換器などであってもよいことは言うまでも無い。
【０１０６】
なお、日本国特許出願第２０１３−１４２４６６（２０１３年７月８日出願）の全内容が、参照により、本願明細書に組み込まれている。
【産業上の利用可能性】
【０１０７】
本発明によれば、変換器を高効率に利用する電力変換装置、電力変換システム、及び電力変換方法を提供することができる。
【図１】
2015005254.tif 000003
【図２】
2015005254.tif 000004
【図３】
2015005254.tif 000005
【図４】
2015005254.tif 000006
【図５】
2015005254.tif 000007
【図６】
2015005254.tif 000008
【図７】
2015005254.tif 000009
【国際調査報告】
2015005254.tif 000010
2015005254.tif 000011